(57)【要約】【課題】所望の形状に成形し、維持することの可能な帽子を安価に形成することのできるブレードを提供する。【解決手段】渦状に編まれることにより帽子を形成できるブレード１０は、２本のアクリルとポリプロピレン製のたて糸１２、８本の形状保持モノフィラメントであるよこ糸１４、及び８本のアクリルとポリプロピレン製のよこ糸１６を平打ちに組んでなる。よこ糸１４はポリエチレン製であって、特殊な製法により、塑性変形性が１８０度及び９０度折り曲げにおける戻り角度が２０度以下になるように製造された形状保持モノフィラメントである。【選択図】　　　図１
0003098904.tif 000002
【実用新案登録請求の範囲】
【請求項１】
全長に渡って形状保持モノフィラメントが含まれたことを特徴とするブレード。
【請求項２】
それぞれ複数本のたて糸及びよこ糸を平打ちに組んでなり、前記複数本のたて糸及び／またはよこ糸のうちの少なくとも一部を前記形状保持モノフィラメントとした請求項１に記載のブレード。
【考案の詳細な説明】
【０００１】
【考案の属する技術分野】
本考案は、渦状に巻いて縫合することにより帽子を形成するためのブレードに関し、特に所望の形状に成形し、維持することの可能な帽子を安価に形成することのできるブレードに関する。
【０００２】
【従来の技術】
主として麻・アクリル・ポリエステルなどの天然繊維又は合成繊維の中でも腰の強い素材を用いて編まれた平たい紐であるブレードが帽子の材料として利用されている。例えばブレードを型に合わせて渦巻き状に巻き、相互に重なり合う側部を縫い合わせた後、成形型に嵌めて熱を加えつつプレスすることにより帽子が形成される。このようなブレード製の帽子を折り畳んでバッグ等に収納して携帯し、必要なときにバッグから出して広げて被るといった普通の使用法を採る場合などに、腰の強い素材を使っていたとしても、いったん折り畳まれた形の癖が付いてしまうと元の形に戻すのは困難だった。また、使用者が自分の好みや太陽光線・風の向きや強さに応じて所望の形に整えても、その形を保持することができなかった。この課題を解決するために、特殊な形状保持モノフィラメントを用いて使用者が自由に形状を整えることができるように構成されたものも提案されたが、同じタイプのものの大量生産には向いているものの、帽子のデザインにバリエーションを持たせるには高いコストを要していた。
【０００３】
特開２０００−１７５５３にはブレードを構成する繊維に腰の強い化学繊維のモノフィラメントを含ませた構成が開示されている。
【０００４】
特開平１１−９３０１２にはネット状の形状保持材に合成繊維糸を編み込んでなる帽子が開示されている。
【０００５】
【考案が解決しようとする課題】
よって本考案の目的は、所望の形状に成形し、維持することの可能な帽子を安価に形成することのできるブレードを提供することにある。
【０００６】
【課題を解決するための手段】
上記目的を達成するために請求項１に記載の考案は、全長に渡って形状保持モノフィラメントが含まれているようにブレードを構成した。請求項２に記載の考案は、それぞれ複数本のたて糸及びよこ糸を平打ちに組んでなり、前記複数本のたて糸及び／またはよこ糸のうちの少なくとも一部を前記形状保持モノフィラメントとしてブレードを構成した。
【０００７】
請求項１に記載の考案に係るブレードにより形成された帽子は、全長に渡って形状保持モノフィラメントが含まれているので、使用者は帽子を所望の形状に調整し、その形状を保持させることができる。また、従来と同じ成形型等の製造設備を従来と同じように用いて帽子を製造可能であり、新たな設備や技術を導入する費用を節約することができる。
【０００８】
本考案に係るブレードに編み込まれ、または織り込まれることにより含まれる形状保持モノフィラメントとしては、例えば特開平７−２３８４１７号公報や特開平１０−２６６０３５公報に記載のものが挙げられる。本考案において利用可能な形状保持モノフィラメントの塑性変形性は、１８０度及び９０度折り曲げによる戻り角度が好ましくは３０度以下であり、望ましくは２０度以下である。
【０００９】
形状保持モノフィラメントを含むブレードの製法は、通常のブレードと同様、複数本（例えば２本）のたて糸に、複数本（例えば６〜１６本）のよこ糸を平打ちに組んだ構成が最も典型的であるが、渦巻き状に縫い合わせることにより帽子を形成可能なテープ状であれば特定されない。平打ちの場合、ブレードのたて糸及びよこ糸は全て形状保持モノフィラメントとしてもよく、また、たて糸のみ、またはよこ糸のみとしてもよく、さらに、たて糸及び／またはよこ糸の一部のみとしてもよい。
【００１０】
ブレードを構成する形状保持モノフィラメント以外の材料としては、天然草、天然繊維、化学繊維やこれらを原料とする糸や織物等、従来からブレード製帽子の材料として普通に使用されていたものが使用可能である。典型的には麦わら、麻、アクリル、ポリエステル等である。例えば８本のアクリル糸は、８本の形状保持モノフィラメントとともに、合計１６本のよこ糸として２本のアクリル糸のたて糸に平打ちに組まれて本考案に係るブレードが構成される。
【００１１】
【考案の実施の形態】
以下、添付の図面を参照しつつ、本考案に係るブレードの一つの実施の形態について詳細に説明する。なお下記の実施の形態は、考案をより深く理解させることのみを目的とするものであって、本考案の請求の範囲を限定するために利用されてはならない。
【００１２】
図１は、本考案に係るブレードの構成を示す拡大平面図である。
【００１３】
同図において、ブレード１０はアクリル７０％、ポリプロピレン３０％混紡のたて糸１２、形状保持モノフィラメントであるよこ糸１４及びアクリル７０％、ポリプロピレン３０％混紡のよこ糸１６からなる。たて糸１２とよこ糸１６とは同じアクリルとポリプロピレン製の糸ではあるが、たて糸１２は長繊維を紡いだ強度と滑らかさを有する糸であり、一方よこ糸１６は短繊維を紡いでなる毛羽の多い種類の糸であり、いわゆるモール素材である。本発明に係るブレードの材料がこれらに限定されないことはいうまでもない。
【００１４】
よこ糸１４は特殊な製法で製造されたポリエチレン製のモノフィラメントであり、塑性変形性が１８０度及び９０度折り曲げにおける戻り角度が２０度以下の形状保持性能を有する形状保持モノフィラメントである。このような形状保持モノフィラメントは、例えば三井石油化学工業株式会社より入手可能である（商品名：テクノロート）。
【００１５】
ブレード１０は、図１に示すように２本のたて糸１２に、８本のよこ糸１４と８本のよこ糸１６が平打ちに組まれて構成される。図１では説明のためによこ糸１４が編まれてからよこ糸１６が編まれるかのように表されているが、実際には同時に編まれる。ブレード１０として完成したときには、アクリルとポリプロピレン製のよこ糸１６が毛羽が多い一方で、形状保持モノフィラメントのよこ糸１４はそれよりもかなり細いので、外見上はアクリルとポリプロピレン製のモール素材のみで編まれた通常のブレードと同じように見える。このようなブレード１０は、専用または汎用の製紐機により製造可能である。
【００１６】
このようなブレード１０は石目編みで編まれる。すなわち、ブレード１０は図２に示されるように渦巻き状に巻かれ、相接する両側部が相互に縫合されてシート状になる。帽子の型（図示していない）に合致するように巻いていき、環縫いミシンにより縫合し、プレスすることにより、図３に示すようなブレード製帽子２０を製造することができる。
【００１７】
このようにして製造されたブレード製帽子２０は、ブレード１０に形状保持モノフィラメントが含まれているため、折り畳まれたものを広げたときに使用者が整形した任意の形態を保持することができる。また陽射しや風の強さや向き等に応じて使用者が帽子の形態を自由に選択することができる。
【００１８】
なお、本考案に係るブレードは帽子以外の製品、例えば籠、バッグ、椅子張り地などの材料としても利用可能である。
【００１９】
以上本考案の実施の形態について説明したが、本考案は上記実施の形態に限定されるものではなく、本考案の要旨の範囲内において適宜変形可能であることはいうまでもない。
【００２０】
【考案の効果】
以上のように本考案に係るブレードによると、所望の形状に成形し、維持することの可能な帽子を安価に形成することができる。
【図面の簡単な説明】
【図１】図１は、本考案に係るブレードの一つの実施の形態を示す拡大平面図である。
【図２】図２は、図１に示したブレードを渦巻き状に巻いた状態を示す平面図である。
【図３】図３は、図１に示したブレードを材料に製造された帽子の一例を示す斜視図である。
【符号の説明】
１０　ブレード
１２　たて糸
１４　形状保持モノフィラメントのよこ糸
１６　アクリルとポリエステル製のよこ糸
【図１】
0003098904.tif 000003
【図２】
0003098904.tif 000004
【図３】
0003098904.tif 000005
【手続補正書】
【提出日】平成15年8月12日(2003.8.12)
【手続補正１】
【補正対象書類名】明細書
【補正対象項目名】実用新案登録請求の範囲
【補正方法】変更
【補正の内容】
【実用新案登録請求の範囲】
【請求項１】
それぞれ複数本のたて糸及びよこ糸を平打ちに組んでなり、前記複数本のたて糸及び／またはよこ糸のうちの少なくとも一部を形状保持モノフィラメントとしたことを特徴とするブレード。
【請求項２】
前記複数本のよこ糸の一部が前記形状保持モノフィラメントであり、それ以外の前記複数本のよこ糸がモール素材である請求項１に記載のブレード。
【手続補正２】
【補正対象書類名】明細書
【補正対象項目名】０００６
【補正方法】変更
【補正の内容】
【０００６】
【課題を解決するための手段】
上記目的を達成するために請求項１に記載の考案は、それぞれ複数本のたて糸及びよこ糸を平打ちに組んでなり、前記複数本のたて糸及び／またはよこ糸のうちの少なくとも一部を形状保持モノフィラメントとしてブレードを構成した。請求項２に記載の考案は、前記複数本のよこ糸の一部が前記形状保持モノフィラメントであり、それ以外の前記複数本のよこ糸がモール素材であるように請求項１に記載のブレードを構成した。
【手続補正３】
【補正対象書類名】明細書
【補正対象項目名】００１３
【補正方法】変更
【補正の内容】
【００１３】
同図において、ブレード１０はアクリル７０％、ポリプロピレン３０％混紡のたて糸１２、形状保持モノフィラメントであるよこ糸１４及びアクリル７０％、ポリプロピレン３０％混紡のよこ糸１６からなる。たて糸１２とよこ糸１６とは同じアクリルとポリプロピレン製の糸ではあるが、たて糸１２は長繊維を紡いだ強度と滑らかさを有する糸であり、一方よこ糸１６は短繊維を紡いでなる毛羽の多い種類の糸であり、いわゆるモール素材である。本考案に係るブレードの材料がこれらに限定されないことはいうまでもない。